(57)【要約】      （修正有）【課題】ハンドル本体の長さ方向への前後移動範囲を、取り付け後の移動領域として考慮する必要がなく、また、各ハンドル本体長さや取り付足金具の形状に応じた支点側部分の寸法変更を不要とし、ハンドル本体長さの様々な変更にも容易に対応し得る可動式ドアハンドルを提供する。【解決手段】ハンドル本体１と、ハンドル本体１の一側部から回動機構２Ｒを介してドアＤ面に立脚する回動脚と、ハンドル本体１の他側部から伸縮機構３Ｅを介してドアＤ面に立脚する伸縮脚と、伸縮脚の脚裏面３２Ｅから先端突出し伸縮機構３Ｅの伸縮に伴って回動するスイッチレバー４とから構成される。伸縮機構３Ｅは、凸枠３１Ｅと凹枠３２Ｅとが遊嵌合して入れ子状に組み合せられる。【選択図】図３
2013023816.tif 000002
【特許請求の範囲】
【請求項１】
ドア（Ｄ）面と並行して伸びるハンドル本体（１）と、
ハンドル本体（１）の一側部から回動機構２Ｒを介してドア（Ｄ）面に立脚する回動脚（２）と、
ハンドル本体（１）の他側部から伸縮機構（３Ｅ）を介してドア（Ｄ）面に立脚する伸縮脚（３）と、
伸縮脚（３）の脚裏面（３２Ｆ）から先端突出し、前記伸縮機構（３Ｅ）の伸縮に伴って回動するスイッチレバー（４）とから構成され、
前記スイッチレバー（４）は、ドア（Ｄ）面のうち、伸縮脚の脚裏面（３２Ｆ）に対向する部分内に設けられた錠操作穴に突入してなり、
ドア（Ｄ）面に取り付けられたハンドル本体（１）のプッシュ又はプルの操作によって、回動脚（２）が回動機構２１によって回動すると共に伸縮脚（３）が伸縮機構（３Ｅ）によって伸縮したとき、スイッチレバー（４）が前記伸縮に伴って回動し、ドア（Ｄ）内に突入した先端突出部がドア（Ｄ）内に設けられた鍵（Ｋ）と接触して鍵（Ｋ）を開閉動させるものであって、
前記伸縮機構（３Ｅ）は、伸縮脚（３）の、ドア（Ｄ）面寄り又はハンドル本体（１）寄りのうちいずれか一方に取り付けられていずれか他方に開口する多角形断面の凹枠（３２Ｅ）と、前記凹枠（３２Ｅ）の枠内形状よりも小さい外形断面で枠状形成され、伸縮脚（３）の前記いずれか他方に取り付けられて前記いずれか一方へ突出する凸枠（３１Ｅ）と、から構成されてなり、
凸枠（３１Ｅ）が対向する凹枠（３２Ｅ）内へ遊嵌合して伸縮脚（３）周りに入れ子状に組み合せられることを特徴とする可動式ドアハンドル。
【請求項２】
前記可動式ドアハンドルにおいて、伸縮脚（３）は、ハンドル本体（１）の内側面に固定されてドア（Ｄ）面方向へ伸長する伸長部（３１）と、脚裏面（３２Ｅ）にてドア（Ｄ）面へ対向固定されて前記伸長部（３１）方向へ台状形成される支持台（３２）と、から構成され、
支持台（３２）は、脚裏面から伸長部（３１）方向へ向かって外形断面積が小さくなると共にその窄み端が枠開口した窄み部（３２Ｔ）を有し、この窄み部（３２Ｔ）の枠開口にて伸長部（３１）の伸長端を囲って伸長部（３１）を連結支持する請求項１記載の可動式ドアハンドル。
【請求項３】
前記凸枠（３１Ｅ）、凹枠（３２Ｅ）はそれぞれ、前記伸長部（３１）の伸長端、支持台（３２）の台上端のいずれか一方及び他方に設けられ、互いに遊嵌合して組み合されることで外枠空間を内部形成するものであり、前記スイッチレバー（４）は、前記外枠空間内で移動可能に収容される取り付け基部（４０）と、取り付け基部（４０）に連なって外枠空間外へ延出し、支持台（３２）内を貫通して脚裏面（３２Ｅ）から先端突出するレバー片とから構成され、
前記外枠空間内に、前記取り付け基部（４０）及びこの取り付け基部（４０）を一回転方向へ付勢する弾性体（５）を収容してなり、ハンドル本体（１）のプッシュ／プル操作に基づく前記伸縮機構（３Ｅ）の伸縮に応じて弾性体（５）が弾性変形し、この弾性変形で生じた弾性反力によって取り付け基部（４０）が弾性付勢されて、脚裏面（３２Ｆ）に形成した脚裏孔（３２Ｈ）から突出したレバー片が可動する請求項１又は２記載の可動式ドアハンドル。
【請求項４】
伸縮構造（３Ｅ）の内部には、伸長部又は支持台のいずれか一方に取り付けられた第一連結枠（４４）と、前記いずれか他方に取り付けられた枠内形状の第二連結枠（４５）とが対向し、いずれか一方が他方に対してスライド移動可能に嵌合連結することで、伸長脚の伸長方向へ伸縮可能な筒形又は箱形の連結組枠が構成され、前記スイッチレバー（４）の取り付け基部（４０）は、前記連結組枠内に突出固定された回動軸ピン（４１Ｐ）を回動軸としてこの連結組枠内に枢支されると共に、
連結組枠内に収容された弾性材５によって前記回動軸ピン（４１Ｐ）周りに回転付勢される請求項１、２又は３のいずれか記載の可動式ドアハンドル。
【請求項５】
開放辺の側部からラッチ（Ｒ）を突出入させる錠構造（Ｋ）を内蔵したドア（Ｄ）と、当該ドア（Ｄ）の少なくとも片面に、ハンドル本体（１）がドア（Ｄ）幅方向へ伸長するように取り付けられた請求項１〜４のいずれか記載の可動式ドアハンドル（１Ａ／１Ｂ）とから構成され、
前記可動式ドアハンドル（１Ａ／１Ｂ）は、ドア（Ｄ）の幅方向のうち取り付け辺寄りの位置に回動脚（２）が立脚し、ドア（Ｄ）の幅方向開放辺寄りの位置に伸長脚（３）が立脚するように取り付けられ、伸長脚（３）の取り付け面内でドア（Ｄ）内にスイッチレバー（４）のレバー片が突入してなり、ハンドル本体（１）をプッシュ／プル操作することによって伸長脚（３）が伸縮し、これと共にレバー片がドア（Ｄ）内でドア（Ｄ）の幅方向に可動することで錠構造（Ｋ）の内／外側部と接触し、ラッチ（Ｒ）をドア（Ｄ）側面から突出入させることを特徴とするドアハンドル構造。
【発明の詳細な説明】
【技術分野】
【０００１】
本発明は建築用扉に取り付けられる可動式のドアハンドルであって、特にプッシュ／プル動作によって扉内に設けた錠を連動させて解錠／施錠を行うことのできる可動式ドアハンドル、及び、これを備えたドアハンドル構造に関する。
【背景技術】
【０００２】
従来、プッシュプル錠用のドアハンドルとして、ハンドル本体が、ドアの開閉側近傍からドアの幅の少なくとも半分まで延びる棒状体により構成され、ハンドル本体におけるドアの支点側部分が取り付け部材を介してドアに取り付けられたものが開示される（特許文献１参照）これは例えば図８に示すように、ハンドル本体１０をプッシュプルすることにより、ラッチＲを錠前Ｋ内に没入させて開錠させる形式のプッシュプル錠用のドアハンドルにおいて、ハンドル本体１０におけるドアの支点側部分は長孔２０を有した取り付け部材を介してドアに取り付けられており、ハンドル本体１０におけるドアの開閉側近傍と支点側部分は、当該ドアに対して平行運動機構を構成している。ここでハンドル本体１のドアＤへの取り付けは、ハンドル本体１０に取り付けられた取付足金具Ｈ０を介して行われる。
【先行技術文献】
【特許文献】
【０００３】
【特許文献１】特開２００９−２６４０７６号公報
【発明の概要】
【発明が解決しようとする課題】
【０００４】
ここで、上記従来のプッシュプル錠用のドアハンドルにおいて、ドアの開閉側近傍の取付足金具Ｈ０は、図８に示すように、Ｌ字状の縦板の最外部近傍に孔を形成してピンＰを挿通させ、取付足金具Ｈ０に対してハンドル本体１０が揺動できるような構造となっている。このためドアの支点側部分の受け部を、その上面中央面部に長孔２０が形成された支持部にピンを遊挿通させた可動支持構造とする必要がある。
【０００５】
しかし、上記ハンドル本体の前後動を伴う取り付け構造では、取り付け部材に対してハンドル本体１０の長さ方向への前後移動範囲を、取り付け後の移動領域として考慮する必要があり、また構造上、ハンドル本体１０の長手方向の寸法の変更や取付足金具Ｈ０の形状変更に応じて、前後移動範囲が変化する。このため、各ハンドル本体１０長さや取り付足金具の形状に応じて、支点側部分の長孔２０周りの寸法を設計し直す必要があり、ハンドル本体長さの寸法変更への対応性に限界があった。
【０００６】
そこで本発明は、取り付け部材に対するハンドル本体の長さ方向への前後移動範囲を、取り付け後の移動領域として考慮する必要がなく、また、各ハンドル本体長さや取り付足金具の形状に応じた支点側部分の寸法変更を不要とし、ハンドル本体長さの様々な変更にも容易に対応し得る可動式ドアハンドル又はドアハンドル構造を提供することを課題とする。
【課題を解決するための手段】
【０００７】
上記課題を解決すべく本発明では下記（１）〜（５）の手段を講じている。
（１）本発明の可動式ドアハンドルは、
ドアＤ面と並行して横方向（すなわちドアＤ幅方向）に伸びるハンドル本体１と、
ハンドル本体１の一側部から回動機構２Ｒを介してドアＤ面に立脚する回動脚２と、
ハンドル本体１の他側部から伸縮機構３Ｅを介してドアＤ面に立脚する伸縮脚３と、
伸縮脚３の脚裏面３２Ｆから先端突出し、前記伸縮機構３Ｅの伸縮に伴って回動するスイッチレバー４とから構成され、
前記スイッチレバー４は、ドアＤ面のうち、伸縮脚３の脚裏面３２Ｆに対向する部分内に設けられた錠操作穴に突入してなり、
ドアＤ面に取り付けられたハンドル本体１のプッシュ又はプルの操作によって、回動脚２が回動機構２１によって回動すると共に伸縮脚３が伸縮機構３１によって伸縮したとき、
スイッチレバー４が前記伸縮に伴って回動し、ドアＤ内に突入した先端突出部がドアＤ内に設けられた鍵Ｋと接触して鍵Ｋを開閉動させるものであって、
前記伸縮機構３Ｅは、
伸縮脚３の、ドアＤ面寄り又はハンドル本体１寄りのうちいずれか一方に取り付けられていずれか他方に開口する多角形断面の凹枠３１Ｅと、
前記凹枠３２Ｅの枠内形状よりも小さい外形断面で枠状形成され、伸縮脚３の前記いずれか他方に取り付けられて前記いずれか一方へ突出する凸枠３２Ｅと、から構成され、
凸枠３１Ｅが対向する凹枠３２Ｅ内へ遊嵌合して伸縮脚３の伸縮軸周りに組み合せられることを特徴とする。
【０００８】
ここで上記回動機構Ｒは、伸長方向への構造上の遊び部（可動時の寸法調整部）を有さない固定支持による一軸回転構造からなり、プッシュ／プル操作によってハンドル本体１が回動し、ハンドル本体１のうち伸縮脚側の端部（先端部）が回動機構Ｒを中心とした円弧状軌跡をもって移動する。このとき、遊嵌合された凸枠３２Ｅが組み合わされた状態を保ったまま凹枠３１Ｅ内でその嵌合深さを小さいものとし、ドアＤ面すなわち脚裏面３２Ｆに対して略垂直方向へ移動及び回転することで、ハンドル本体１の伸長方向への移動（ズレ）を伴うことなく伸縮脚３がスムーズに伸縮することとなる。
【０００９】
特に凹枠３２Ｅが、支持台３２の上面に凹状に周形成された外周側の内壁と、その内側に周形成された内周側の外壁とから細溝状に周形成されたものであり、凸枠３１Ｅが、前記細溝内に遊嵌入し得る細板状に周形成された凸壁からなるものとしたとき、凸枠３１Ｅと凹枠３２Ｅとが凹凸嵌合による入れ子構造で組み合わせられる。このようなものであれば、結合ヒンジ等を用いることなく、枠内の収納空間を有しながら略垂直方向へのスライド伸縮構造を得ることができ、凹凸嵌合量の増減に伴うスライド伸縮によって確実に伸縮動作を果たす。また伸縮脚自体、ハンドルの伸長方向へずれることなくドア面との距離が調節され、プッシュ／プル動作による安定した脚部の伸縮動作が容易に達成される。
【００１０】
（２）上記可動式ドアハンドルにおいて、伸縮脚３は、ハンドル本体１の内側面に固定されてドア面方向へ伸長する伸長部３１と、脚裏面３２Ｅにてドア面へ対向固定されて前記伸長部３１方向へ台状形成される支持台３２と、から構成され、
支持台３２は、脚裏面から伸長部３１方向へ向かって外形断面積が小さくなると共にその窄み端が枠開口した窄み部３２Ｔを有し、この窄み部３２Ｔの枠開口にて伸長部３１の伸長端を囲って伸長部３１を連結支持することが好ましい。
【００１１】
窄み部３２Ｔによって、ハンドル本体１の伸縮脚３取り付け部廻りとドアＤ面との間に、プル操作時の手指の挿入空間が形成される。すなわち支持台３２はハンドル本体１へ向かって窄み形状を有するため、プル操作時に手指を挿入空間内に挿入して操作しやすく、手指を挟まれにくいようになっている。
【００１２】
特に例えば後述の図１に示す実施例では、四角錐面からなる４つの傾斜面によって、伸長部の四方側周に亘るテーパー状の窄み部３２Ｔが形成される。傾斜面にてテーパー状形成されることで手指の挿入空間を大きく確保できるとともに、支持台３２すなわちドア面への取り付け構造の体裁が良いものとなる。またテーパー面上方に突起等が形成されないため、より手指を挟まれにくい安全な構成となっている。
【００１３】
（３）上記可動式ドアハンドルにおいて、
前記凸枠３１Ｅ、凹枠３２Ｅはそれぞれ、前記伸長部３１の伸長端、支持台３２の台上端のいずれか一方及び他方に設けられ、互いに遊嵌合して組み合されることで外枠空間を内部形成するものであり、
前記スイッチレバー４は、前記外枠空間内で移動可能に収容される取り付け基部４０と、取り付け基部４０に連なって外枠空間外へ延出し、支持台３２内を貫通して脚裏面３２Ｅから先端突出するレバー片とから構成され、
前記外枠空間内に、前記取り付け基部４０及びこの取り付け基部４０を一回転方向へ付勢する弾性体５を収容してなり、
ハンドル本体１のプッシュ／プル操作に基づく前記伸縮機構３Ｅの伸縮を伴う外枠空間の変形に応じて弾性体５が弾性変形し、この弾性変形で生じた弾性反力によって取り付け基部４０が弾性付勢されて、脚裏面３２Ｆに形成した脚裏孔３２Ｈから突出したレバー片が可動することが好ましい。
【００１４】
上記構成により、不定形状となりやすい遊嵌合構造内の外枠空間において、取り付け基部４０と共収容した弾性体５による比較的簡易な原理機構をもって、スイッチレバー４を確実に可動させることができる。
【００１５】
（４）上記可動式ドアハンドルにおいて、伸縮構造３Ｅの内部には、伸長部又は支持台のいずれか一方に取り付けられた第一連結枠４４と、前記いずれか他方に取り付けられた枠内形状の第二連結枠４５とが対向し、いずれか一方が他方に対してスライド移動可能に嵌合連結することで、伸長脚の伸長方向へ伸縮可能な筒形又は箱形の連結組枠が構成され、
前記スイッチレバー４の取り付け基部４０は、前記連結組枠内に突出固定された回動軸ピン４１Ｐを回動軸としてこの連結組枠内に枢支されると共に、
連結組枠内で、弾性材５が、取り付け基部４０自身と連結組枠の構成面の間に挟設されるように収容され、連結組枠の伸縮に伴ってこの弾性材５が弾性変形することで取り付け基部４０を一回転方向へ弾性付勢することが好ましい。
【００１６】
上記構成によれば、取り付け基部４０を連結組枠内で回動固定し、連結組枠内の一部の枠構造が連結組枠の伸縮に伴ってスライド移動したとき、このスライド移動した枠構造に接触収容された弾性材５が弾性変形し、このときの弾性反力によって取り付け基部４０に回転付勢することとなる。これにより、連結組枠の伸縮変形に応じた弾性力を確実にスイッチレバーの回動動作につなげることができる。
【００１７】
特に、例えば後述する実施例では、第一連結枠４４を凹枠３２Ｅ内に形成した二重凹枠と、第二連結枠４５を凸枠３１Ｅ内に枠形成した二重凸枠とを有してなり、第一連結枠と第二連結枠、凸枠と凹枠のそれぞれを、各組の内外面で摺動可能に嵌合させて二重の嵌合構造を形成している（図３、図７）。このうち凹枠と凸枠は外部で遊嵌合によるドア面戸略垂直方向のスライド移動かつ角度可変自在な入れ子構造を形成し、第一連結枠と第二連結枠はこの入れ子構造内で略箱状の伸縮可能な連結組枠の構造を形成する。そして特に連結組枠の構造は、取り付け基部４０及び弾性材５を収容してなり、組枠自体の伸縮に伴って弾性材５を変形させ、取り付け基部４０に回転付勢力を与えている。
【００１８】
（５）本発明のドアハンドル構造は、一側部を取り付け辺、他側部を開放辺としてドアヒンジＤＨによって取り付けられ、開放辺の側部からラッチＲを突出入させる錠構造Ｋを内蔵したドアＤと、当該ドアＤの少なくとも片面へ、ドア幅方向に沿って取り付けられた上記（１）〜（４）記載の可動式ドアハンドル１Ａ／１Ｂとから構成され、
可動式ドアハンドル１Ａ／１Ｂは、ドアＤの幅方向のうち取り付け辺寄りの位置のドアＤ面に回動脚２が立脚し、ドアの幅方向開放辺寄りの位置のドアＤ面に伸縮脚３が立脚するように取り付けられ、
伸縮脚３の取り付け面内で、ドアＤ内にスイッチレバー４のレバー片が突入してなり、ハンドル本体１をプッシュ／プルすることによって伸縮脚３が伸縮し、これと共にレバー片がドアＤ内でドアＤの幅方向に可動することで錠構造Ｋの内／外側部と接触し、ラッチＲをドアＤの開放辺側の側面から突出入させることを特徴とする。
【００１９】
特に上記ドアハンドル構造として、後述の実施例のように、ドアＤ両面に一対の可動式ドアハンドルが取り付けられ、かつそれぞれが共通する取り付け用ピンによって同位置に取り付けられることが好ましい（例えば図７参照）。なお図７に示す実施例では、ドアの一面を、ハンドル本体１のプッシュ操作すなわち伸縮脚３の短縮動によってレバー片が解錠方向に可動するプッシュ操作式の可動式ドアハンドルとする共に、反対向するドアの他面を、ハンドル本体１のプル操作すなわち伸縮脚３の伸長動によってレバー片が解錠方向に可動するプル操作式の可動式ドアハンドルとしている。
【発明の効果】
【００２０】
上記手段により、入れ子式の構造で伸縮脚を構成することで可動の自由度が高まり、伸縮部（凸部）の伸縮脚（凹枠）に対する垂直方向への移動が確保される。上記従来の取付足金具による可動構造のような、ハンドル本体の長さ方向への前後移動を伴うことなく、支点側の固定支持軸によって可動ハンドルを構成することが可能となった。これにより、取り付け部材に対するハンドル本体の長さ方向への前後移動範囲を、取り付け後の移動領域として考慮する必要がなく、また、各ハンドル本体長さや取り付足金具の形状に応じた支点側部分の寸法変更を不要とし、ハンドル本体長さの様々な変更にも容易に対応し得る可動式ドアハンドル又はドアハンドル構造を提供することが可能となった。
【図面の簡単な説明】
【００２１】
【図１】実施例１の可動式ドアハンドルの背面側の斜視概観図。
【図２】実施例１の可動式ドアハンドルの正面側の斜視概観図。
【図３】実施例１の可動式ドアハンドルを取り付けたドアハンドル構造の第一状態を示す平面断面説明図。
【図４】図３のドアハンドル構造のプッシュ／プル操作による第二状態を示す側面視構造説明図。
【図５】図３の可動式ドアハンドル及びドアハンドル構造の正面構造説明図。
【図６】図５のドアハンドル構造を有するドアの正面及び平面視全体説明図。
【図７】図３のドアハンドル構造のうち錠構造を除いた状態の側面構造説明図。
【図８】従来のプッシュプル式ドアハンドルの形態例を示す平面説明図。
【発明を実施するための形態】
【００２２】
以下、本発明の可動式ドアハンドル及びこれによる可動式ドアハンドルの形態例を、実施例１として示す図１〜図７と共に説明する。本発明の可動式ドアハンドルはドア面に取り付けて使用する可動式ドアハンドルであって、基本的に、
ドア面と並行して横方向すなわちドア幅方向に伸びるハンドル本体１と、
ハンドル本体１の一側部から回動機構２Ｒを介してドアＤ面に立脚する回動脚２と、
ハンドル本体１の他側部から伸縮機構３Ｅを介してドアＤ面に立脚する伸縮脚３と、
伸縮脚３の脚裏面３２Ｅから先端突出し、前記伸縮機構３Ｅの伸縮に伴って回動するスイッチレバー４とから構成される。
【００２３】
そして、ハンドル本体１のプッシュ又はプルの操作によってドアＤ内に突出したスイッチレバー４がハンドル本体１の伸長方向へ可動する。以下、各構成につき詳述する。
【００２４】
（ハンドル本体１）ハンドル本体１はドア面に並行してドアの幅方向に伸長する剛性材からなる。実施例では一方向へ直線的に延びる断面縦長矩形断面の矩形板からなるが、円形断面の棒状体からなるものでもよく、曲線を含んで伸長してもよい。ハンドル本体１のドアＤ面に対向する内側面の両端付近には、それぞれ回動脚２及び伸縮脚３がドアＤ面側に突出して構成される。
【００２５】
（固定脚２）固定脚２は、ハンドル本体１の内側面に固定されてドア面方向へ伸長する伸長部２１と、脚裏面にてドア面へ対向固定されて前記伸長部２１方向へ台状形成される支持台２２と、から構成される。伸長部２１には、ハンドル本体とドア面との距離を離接させることなく固定軸回動する回動機構（Ｒ）が介設される。伸長部２１の先部には、矩形枠状の凸部２１Ｅが支持台２２に向かって形成され、この凸部２１Ｅが支持台２２の台上面に形成された凹枠２２Ｅ内に突入して組み合わされる。また支持台２２とドア面との間も、支持台の底面に形成された周形状の凹溝２５内に、ドア面に固定され支持台２２側に突出する周形状の凸枠２４が嵌入されて固定される。
【００２６】
（回動機構Ｒ）回動機構Ｒは、伸長方向への構造上の遊び部（可動時の寸法調整部）を有さない固定支持による一軸回転構造からなり、プッシュ／プル操作によってハンドル本体１が回動し、ハンドル本体１のうち伸縮脚側の端部（先端部）が回動機構Ｒを中心とした円弧状軌跡をもって移動する。このとき、遊嵌合された凸枠３２Ｅが入れ子状態を保ったまま凹枠３１Ｅ内で移動及び回転することで、ハンドル本体１の伸長方向への移動（ズレ）を伴うことなく伸縮脚３が伸縮する。
【００２７】
（伸縮脚３）伸縮脚３は、ハンドル本体１の内側面に固定されてドア面方向へ伸長する伸長部３１と、脚裏面３２Ｅにてドア面へ対向固定されて前記伸長部３１方向へ台状形成される支持台３２と、から構成される。伸縮脚は、ハンドル本体とドア面との距離を離接調整する離接機構となっている。
【００２８】
（支持台３２）支持台３２は、脚裏面から伸長部３１方向へ向かって外形断面積が小さくなると共にその窄み端が枠開口した窄み部３２Ｔを有し、この窄み部３２Ｔの枠開口にて伸長部３１の伸長端を囲って伸長部３１を連結支持する。窄み部３２Ｔによって、ハンドル本体１の伸縮脚３取り付け部廻りとドアＤ面との間に、プル操作時の手指の挿入空間が形成される。すなわち支持台３２はハンドル本体１へ向かって窄み形状を有するため、プル操作時に手指を挿入空間内に挿入して操作しやすく、手指を挟まれにくいようになっている。
【００２９】
実施例では、四角錐面からなる４つの傾斜面によって、伸長部の四方側周に亘るテーパー状の窄み部３２Ｔが形成される（図１）。傾斜面にてテーパー状形成されることで手指の挿入空間を大きく確保できるとともに、支持台３２すなわちドア面への取り付け構造の体裁が良いものとなる。またテーパー面上方に突起等が形成されないため、より手指を挟まれにくい安全な構成となっている。また支持台３２とドア面との間も、支持台の底面に形成された周形状の凹溝３５内に、ドア面に固定され支持台３２側に突出する周形状の凸枠３４が嵌入した状態で固定される。
【００３０】
（伸縮機構３Ｅ）伸縮機構３Ｅは、伸縮脚３の、ドアＤ面寄り又はハンドル本体１寄りのうちいずれか一方に取り付けられて他方に向かって少なくとも多角形断面の内枠を有して構成される凹枠３１Ｅと、
前記凹枠３２Ｅの枠内形状よりも小さい外形断面の外枠を有して枠状に形成され、伸縮脚３の前記いずれか他方に取り付けられて前記いずれか一方へ突出する凸枠３２Ｅと、から構成され、凹枠３１Ｅの内枠内に凸枠３２Ｅの外枠が嵌り込むように組み合される。
【００３１】
実施例の凹枠３１Ｅとして、支持台３２の頂面を矩形箱状に窪ませることで矩形断面の底付きの内枠が形成され、かつ、底部の中央に、一対の立設枠を有した第二連結枠４５が固定される。この凹枠３１Ｅの枠内面と第二連結枠４５の枠外面とによって、内枠の枠形状に沿う矩形経路の細溝が形成されている。
【００３２】
また、矩形断面で伸長する伸長部３１自体を、ハンドル本体１への固定板を底板とした開口付き矩形箱として構成しており、この矩形箱の側周部に、実施例の凸枠３２Ｅとして薄板の四方枠が形成される。この四方枠は、枠厚さを前記細溝の溝幅の半分以下に、かつ枠の突出長を前記細溝の溝深さよりも小さい長さに設定してある。また実施例ではこの四方枠からなる凸枠３２Ｅの枠内部の底板に、一対の立設枠を有した第一連結枠４４が固定される。
【００３３】
（外枠空間）
前記凸枠３１Ｅ，凹枠３２Ｅはそれぞれ、前記伸長部３１の伸長端、支持台３２の台上端のいずれか一方及び他方に設けられる。そして凸枠３１Ｅは、対向する凹枠３２Ｅ内へ遊嵌合して伸縮脚３の伸長軸周りに入れ子状に組み合せられる。このとき、互いに遊嵌合して組み合された凹凸枠によって、筒状の外枠空間を内部形成する。この外枠空間内には、前記取り付け基部４０及びこの取り付け基部４０を一回転方向へ付勢する弾性体５を収容してなる。
【００３４】
（連結枠）伸縮構造３Ｅの内部には、伸長部又は支持台のいずれか一方に取り付けられた第一連結枠４４と、前記いずれか他方に取り付けられた枠内形状の第二連結枠４５とが対向し、いずれか一方が他方に対してスライド移動可能に嵌合連結することで、伸長脚の伸長方向へ伸縮可能な筒形又は箱形の連結枠が構成される。
スイッチレバー４の取り付け基部４０は、前記連結枠内に突出固定された回動軸ピン４１Ｐを回動軸としてこの連結枠内に枢支されると共に、
連結枠内のスライド移動面と取り付け基部４０自身との間に挟設された弾性材５によって回転付勢される。
【００３５】
実施例の連結枠は、伸長部３１の凸枠内部でハンドル本体１の内側面に固定され、ドア面方向へ並行枠状に突設された第一中連結枠４４と、支持台３２の凹枠内部に固定され、ハンドル本体１方向へ並行枠状に突設された第二中連結枠４５とから構成される。第一中連結枠と第二中連結枠はそれぞれの枠板が対向して内外に近接した位置で組み合され、枠面に形成された長孔と長孔内に遊挿通して枠板間を亘るスライドピンによって、互いに離間又は近接可能に連結されることで、二重構造の中連結枠を構成する。
【００３６】
実施例では、支持台３２側に固定した第二中連結枠４５の両枠面に設けられた長孔４１Ｈ，４３Ｈと、第一連結枠４４の両枠間に貫通固定されると共に前記長孔４１Ｈ、４３Ｈ内をそれぞれ遊挿通した回動軸ピン４１Ｐ，スライドピン４３Ｐとによって、伸長部の伸長方向へスライド伸縮可能な連結構造を構成する。
【００３７】
中連結枠は、第二連結枠４５の枠側面に隣接形成された２つの長孔内を、第一連結枠４４の枠側面のそれぞれ対応する位置に固定されたスライドピンがスライド移動して、第一連結枠４４の枠外面近傍を第二連結枠の枠内面が並行移動し、組み合せ方向である伸長部の伸長方向へ伸縮可能する。
【００３８】
また、第二連結枠４５の一対の枠側面のうち前記２つの長孔に隣接する位置には、両枠間を亘って可動ピン４２Ｐが貫通固定され、第一連結枠４４の各枠側面のうち前記可動ピン４２Ｐの可動領域に対応する部分には、枠突出方向を開放部としたＵ字状の切り欠き溝４２Ｄが設けられる。中連結枠の伸縮に伴って取り付け基部４０が固定軸ピン４１Ｐを中心として回動し、このとき、切り欠き溝４２Ｄ内を可動ピン４２Ｐが相対移動する（図３〜図４）。このとき、第一連結枠４４、第二連結枠４５相互のスライド移動に連動して可動ピン４２Ｐと固定軸ピン４１Ｐとの相対位置及び相対角度が変わることで、弾性材５が弾性変形し、弾性反力による回転付勢力を取り付け基部４０に付与することとなる。この回転付勢力によって、スイッチレバー４のレバー片が回動動作する。
【００３９】
特に、例えば後述する実施例では、第一連結枠４４を凹枠３２Ｅ内に２重枠形成し、第二連結枠４５を凸枠３１Ｅ内に二重枠形成して、第一連結枠と第二連結枠、凸枠と凹枠を、各組の内外面で摺動可能に嵌合させて二重の嵌合構造を形成している（図３、図７）。このうち凹枠と凸枠は外部で遊嵌合による角度可変自在な入れ子構造を形成し、第一連結枠と第二連結枠はこの入れ子構造内で略箱状の伸縮可能な連結枠を、取り付け基部４０及び弾性材５の収容枠として形成する。
【００４０】
（スイッチレバー４）スイッチレバー４は、ドアＤ面のうち、伸縮脚の脚裏面３２Ｅに対向する部分内に設けられた錠操作穴Ｄ４に突入してなり、
ドアＤ面に取り付けられたハンドル本体１のプッシュ又はプルの操作によって、回動脚２が回動機構２１によって回動すると共に伸縮脚３が伸縮機構３１によって伸縮したとき、
スイッチレバー４が前記伸縮に伴って回動し、ドアＤ内に突入した先端突出部がドアＤ内に設けられた鍵Ｋと接触して鍵Ｋを開閉動させるものである。
【００４１】
スイッチレバー４は具体的には、前記外枠空間内で移動可能に収容される横長矩形プレート状の取り付け基部４０と、取り付け基部４０の矩形の一角から一側方に連なって外枠空間外へ延出し、支持台３２内を貫通して脚裏面３２Ｅから先端突出するレバー片と、から構成される。スイッチレバー４の取り付け基部４０は、前記連結枠内に突出固定された回動軸ピン４１Ｐを回動軸としてこの連結枠内に枢支されると共に、取り付け基部４０のプレート面のうち、レバー片の延出基部付近に、第二連結枠４５内を亘る可動ピン４２Ｐが貫通される。この可動ピンには弾性体５の一部が接続され、取り付け基部４０は可動ピンの移動に伴って変形した弾性材５の弾性接触を介して、回転方向の弾性付勢力を受けるようになっている。
【００４２】
（弾性体５）弾性体５は、取り付け基部４０を一回転方向へ付勢する。ハンドル本体１のプッシュ／プル操作に基づく前記伸縮機構３Ｅの伸縮を伴う外枠空間の変形に応じて弾性体５が弾性変形し、この弾性変形で生じた弾性反力によって取り付け基部４０が弾性付勢されて、脚裏面３２Ｆに形成した脚裏孔３２Ｈから突出したレバー片が可動する。具体的には、取り付け基部４０の一本の可動ピンに巻回装着される線状のトーションバネからなり、実施例では特に、２つの巻回部を有したダブルトーション構造となっており、各巻回部は、取り付け基部４０の一本の可動ピンに離間して巻回装着される。トーションバネの付勢部である一端及び他端は、連結枠内のスライド移動面と取り付け基部４０自身とにそれぞれ配設され、一端及び他端の近接可動によって、スイッチレバー４を傾かせる一方向へ回転付勢する。
【００４３】
（ドアハンドル構造）本発明のドアハンドル構造は、一側部を支点側、他側部を開放側とする開放辺の側部からラッチを突出入させる錠構造Ｋを内蔵したドアと、当該ドアの少なくとも片面へ、ドア幅方向に沿って取り付けられた上記可動式ドアハンドルとから構成される。
【００４４】
このドアハンドル構造において、可動式ドアハンドルは、ドアの幅方向支点側寄りの位置に回動脚２が立脚し、ドアの幅方向開放側寄りの位置に伸縮脚３が立脚するように取り付けられ、伸縮脚３の取り付け面内部でドア内にスイッチレバーのレバー片が突入してなり、ハンドル本体１をプッシュ／プルすることによって伸縮脚３が伸縮し、これと共にレバー片がドア内でドアの幅方向に可動することで錠構造Ｋの内／外側部と接触し、ラッチＲをドア側面から突出入させることを特徴とする。
【００４５】
実施例では、ドア両面に一対の可動式ドアハンドルが取り付けられ、かつそれぞれが共通する取り付け用ピンによって同位置に取り付けられることが好ましい。なお実施例ではさらに、ドアの一面を、ハンドル本体１のプッシュ操作すなわち伸縮脚３の短縮動によってレバー片が解錠方向に可動するプッシュ操作式の可動式ドアハンドルとする共に、反対向するドアの他面を、ハンドル本体１のプル操作すなわち伸縮脚３の伸長動によってレバー片が解錠方向に可動するプル操作式の可動式ドアハンドルとしている。
【００４６】
さらに図６に示す実施例のドアハンドル構造においては、ドアの幅方向のうち、開放辺近傍の位置に上記本発明の可動式ハンドル１Ａ，１Ｂが取り付けられると共に、この可動式ハンドルと略同じ高さでドアの取り付け辺近傍に、複数の固定脚６を有した固定式ハンドル１Ｃが取り付けられる。固定式ハンドル１Ｃは可動式ハンドル１Ａ、１Ｂと同じ幅且つ同じデザインであって、可動式ハンドルのハンドル本体よりも長いハンドル長（図６では約２倍のハンドル長）のハンドル本体部を有する。また、固定式ハンドル１Ｃのハンドル本体部は裏面両側部からそれぞれ、伸縮及び回動不能な２本の固定脚６がドア面に立脚してなる。固定脚６は具体的には、前記本発明の可動式ハンドルにおける回動脚２と、同じ外形の支持台と伸縮脚から構成される。
【００４７】
その他、本発明は上述した実施例に限定されず、本発明の趣旨を逸脱しない範囲で適宜要素の抽出、形態の変更、番手の調整、各実施例間の要素同士の組み合わせの変更、各工程の順番の入れ替え、および各工程の繰り返しが可能である。
【符号の説明】
【００４８】
１  ハンドル本体
１Ａ  第一可動式ドアハンドル
１Ｂ  第二可動式ドアハンドル
１Ｃ  固定ドアハンドル
１２Ｐ、１３Ｐ、３３Ｐ  止めネジ
２  回動脚
２１  伸長部
２１Ｅ、３１Ｅ  凸枠
２２  支持台
２２Ｅ、３２Ｅ  凹枠
２２Ｆ、３２Ｆ  脚裏面
２３、３３  固定ピン
２Ｒ  回動機構
２Ｆ  回動枠
３  伸縮脚
３Ｅ  伸縮機構
３１  伸長部
３２  支持台
３２Ｈ  台裏孔
４  スイッチレバー
４０  レバー基部
４１Ｈ  軸孔
４１Ｐ  軸ピン
４２Ｄ  可動溝
４２Ｐ  可動ピン
４３Ｈ  中連結孔
４３Ｐ  中連結ピン
４４  第一中連結枠
４５  第二中連結枠
５  弾性部材（トーションバネ）
６  非可動脚
Ｄ  ドア
ＤＡ  ドアヒンジ
Ｒ  ラッチ
Ｋ  錠機構
Ｋ１  第一被接触部
Ｋ２  第二被接触部
Ｓ１  第一状態（施錠状態）
Ｓ２  第二状態（解錠状態）
【図１】
2013023816.tif 000003
【図２】
2013023816.tif 000004
【図３】
2013023816.tif 000005
【図４】
2013023816.tif 000006
【図５】
2013023816.tif 000007
【図６】
2013023816.tif 000008
【図７】
2013023816.tif 000009
【図８】
2013023816.tif 000010